(57)【要約】【課題】生体表面の穿刺部位からの体液を確実に採取することができる体液採取具および体液採取方法を提供すること。【解決手段】体液採取具１は、血液成分の測定装置とともに用いられるものである。体液採取具１は、穿刺針５と、穿刺針５を収納し、かつ穿刺針５が出射する開口を先端に有するハウジング３と、穿刺針５を指先１００に穿刺することによって出た血液２００中の成分を検出するための試験紙７３を有する検出ユニット７と、ハウジング３の開口の縁部に設けられ、指先１００に当接する当て部８とを備えている。当て部８は、穿刺針５により指先１００が穿刺された後、その穿刺部位の周囲の指先１００を変形させるように変位可能である。【選択図】図５
2006014789.tif 000002
【特許請求の範囲】
【請求項１】
体液成分の測定装置とともに用いられる体液採取具であって、
穿刺針と、
前記穿刺針を収納し、かつ該穿刺針が出射する開口を先端に有するハウジングと、
前記穿刺針を生体表面に穿刺することによって出た体液中の成分を検出するための検出部を有する検出ユニットと、
前記ハウジングの開口の縁部に設けられ、生体表面に当接する当て部とを備え、
前記当て部は、前記穿刺針により生体表面が穿刺された後、その穿刺部位の周囲の生体表面を変形させるように変位可能であることを特徴とする体液採取具。
【請求項２】
前記当て部は、ほぼ前記穿刺針の中心軸を中心に回転する請求項１に記載の体液採取具。
【請求項３】
前記当て部の生体表面に対する当接面は、前記当て部が変位したとき、生体表面に対して滑り止め機能を発揮するように形成されている請求項１または２に記載の体液採取具。
【請求項４】
前記当て部の生体表面に対する当接面は、前記生体表面に対して滑り難い形状をなしている請求項３に記載の体液採取具。
【請求項５】
前記当て部の生体表面に対する当接面には、微小な凹凸が形成されている請求項４に記載の体液採取具。
【請求項６】
前記当て部の生体表面に対する当接面は、その内周部から外周部に向って、先端方向に突出するように傾斜している請求項１ないし５のいずれかに記載の体液採取具。
【請求項７】
前記当て部の生体表面に対する当接面は、柔軟性を有する請求項１ないし６のいずれかに記載の体液採取具。
【請求項８】
前記検出ユニットは、前記ハウジングの開口の近傍に位置する体液導入口から前記検出部まで導通する体液移送路を有する請求項１ないし７のいずれかに記載の体液採取具。
【請求項９】
請求項１ないし８のいずれかに記載の体液採取具を用いて、体液を採取する方法であって、
前記当て部を生体表面に当接した状態で、前記穿刺針により生体表面を穿刺した後、前記当て部を変位させて、穿刺部位から体液を出し、
次いで、前記体液を採取して、該採取された体液中の所定成分を前記検出部で検出することを特徴とする体液採取方法。
【請求項１０】
前記当て部を変位させる方向は、穿刺部位を中心とした回転方向である請求項９に記載の体液採取方法。
【発明の詳細な説明】
【技術分野】
【０００１】
本発明は、体液採取具およびこれを用いた体液採取方法に関する。
【背景技術】
【０００２】
近年、糖尿病患者の増加に伴い、日常の血糖値の変動を患者自身がモニターする自己血糖測定が推奨されてきている。
【０００３】
血糖測定は、まず、針や刃先等により皮膚に小さな傷をつくり（皮膚を穿刺して）、その傷（穿刺部位）から血液を出させる。次に、この出血した血液を、例えば、血液中のブドウ糖量に応じて呈色する試験紙（試験部）に供給・展開して呈色させ、その呈色の度合いを光学的に測定（測色）することにより、血糖値（血液中のブドウ糖量）を定量化する。
【０００４】
最近、血糖測定を簡便化するために、穿刺針と血糖センサとを一体化させたチップを用いたシステムが考えられている。このシステムでは、穿刺部位を陰圧吸引して血液を採取し、測定部に自動供血している。
【０００５】
また、穿刺部位から血液を出させる方法として、血液を採取する器具を皮膚に密着させた状態で、この器具の内部を減圧し、さらに穿刺部位の周囲を圧迫することにより、穿刺部位から血液を採取する方法が特許文献１に開示されている。
【０００６】
しかしながら、装置の内部を減圧するとき、例えば装置と生体表面との密着が不十分であると、前記内部が十分に減圧されず、穿刺部位から血液が吸引されない（採取されない）という問題があった。さらに、吸引機構に圧迫機構のような他の採血の補助機構を組み合わせると、装置が複雑で大掛かりになってしまう。
【０００７】
また、穿刺部位としては、通常指（指先）であったが、穿刺による患者への痛みを軽減（抑制）するのに、例えば、腕、手の平とすることがある。これらの穿刺部位は、指と比較して、血液が出にくいため、装置による吸引をより強力にしたり、装置を生体表面（穿刺部位）に強く押し当てたりする必要があった。このため、生体表面に装置による瘢痕が鮮明に残るという問題があった。
【０００８】
一方、穿刺針とセンサとを一体化したチップを使用し、吸引機構のような採血機構を用いない場合、皮膚穿刺後に従来の方法と同様に、一旦皮膚をチップから離し、穿刺部位の周囲を指で圧迫して出血させ、再び皮膚上の血液をチップに点着させる必要があり、簡便な自動測定には不適である。ここで、指等で圧迫することなしに、出血させるには、より深く、より大きく皮膚を穿刺する必要があり、患者にとって穿刺時の痛みが増大する。
【０００９】
【特許文献１】特開２００２−６５６４８号公報
【発明の開示】
【発明が解決しようとする課題】
【００１０】
本発明の目的は、生体表面の穿刺部位からの体液を確実に採取することができる体液採取具および体液採取方法を提供することにある。
【課題を解決するための手段】
【００１１】
このような目的は、下記（１）〜（１０）の本発明により達成される。
（１）  体液成分の測定装置とともに用いられる体液採取具であって、
穿刺針と、
前記穿刺針を収納し、かつ該穿刺針が出射する開口を先端に有するハウジングと、
前記穿刺針を生体表面に穿刺することによって出た体液中の成分を検出するための検出部を有する検出ユニットと、
前記ハウジングの開口の縁部に設けられ、生体表面に当接する当て部とを備え、
前記当て部は、前記穿刺針により生体表面が穿刺された後、その穿刺部位の周囲の生体表面を変形させるように変位可能であることを特徴とする体液採取具。
【００１２】
（２）  前記当て部は、ほぼ前記穿刺針の中心軸を中心に回転する上記（１）に記載の体液採取具。
【００１３】
（３）  前記当て部の生体表面に対する当接面は、前記当て部が変位したとき、生体表面に対して滑り止め機能を発揮するように形成されている上記（１）または（２）に記載の体液採取具。
【００１４】
（４）  前記当て部の生体表面に対する当接面は、前記生体表面に対して滑り難い形状をなしている上記（３）に記載の体液採取具。
【００１５】
（５）  前記当て部の生体表面に対する当接面には、微小な凹凸が形成されている上記（４）に記載の体液採取具。
【００１６】
（６）  前記当て部の生体表面に対する当接面は、その内周部から外周部に向って、先端方向に突出するように傾斜している上記（１）ないし（５）のいずれかに記載の体液採取具。
【００１７】
（７）  前記当て部の生体表面に対する当接面は、柔軟性を有する上記（１）ないし（６）のいずれかに記載の体液採取具。
【００１８】
（８）  前記検出ユニットは、前記ハウジングの開口の近傍に位置する体液導入口から前記検出部まで導通する体液移送路を有する上記（１）ないし（７）のいずれかに記載の体液採取具。
【００１９】
（９）  上記（１）ないし（８）のいずれかに記載の体液採取具を用いて、体液を採取する方法であって、
前記当て部を生体表面に当接した状態で、前記穿刺針により生体表面を穿刺した後、前記当て部を変位させて、穿刺部位から体液を出し、
次いで、前記体液を採取して、該採取された体液中の所定成分を前記検出部で検出することを特徴とする体液採取方法。
【００２０】
（１０）  前記当て部を変位させる方向は、穿刺部位を中心とした回転方向である上記（９）に記載の体液採取方法。
【発明の効果】
【００２１】
本発明によれば、穿刺針により生体表面を穿刺した後に当て部を変位させることによって、穿刺部位を開かせて穿刺部位からの体液を確実に採取することができる。
【００２２】
本発明の体液採取具は、吸引機構をい用いた場合のように、生体表面との密着不十分により、装置内部が十分減圧されず、穿刺部位から体液（血液）が十分に採取できないという問題を解決することができる。
【００２３】
また、吸引機構による採血のように、装置に穿刺部位を強く押し当てる必要がないため、皮膚（生体表面）に瘢痕が残らない。
【００２４】
本発明の体液採取具は、穿刺針と検出部（試験紙）とが一体化されているので、皮膚を穿刺してから採血するまでの間、皮膚を装置から離さずに作業を行うことができる。従って、測定作業が簡便になり、測定作業に要する時間が短くなる。
【００２５】
また、穿刺針と検出部（試験紙）とが一体化されることによって、測定の準備や測定後の使用済の体液採取具（チップ）の廃棄等が非常に容易となる。
【発明を実施するための最良の形態】
【００２６】
以下、本発明の体液採取具の好適実施形態に基づいて詳細に説明する。
図１は、本発明の体液採取具を示す概略斜視図、図２は、図１中のＡ−Ａ線断面図、図３は、図１に示す体液採取具の当て部に設けられたパッドの正面図、図４は、図１に示す体液採取具の正面図、図５は、図１に示す体液採取具を用いた体液採取方法を説明するための図である。
【００２７】
なお、以下では、図１および図２中、左側を「先端」、右側を「基端」、上側を「上」または「上方」、下側を「下」または「下方」として、図５中、上側を「先端」、下側を「基端」として説明する。
【００２８】
チップ（体液採取具）１は、穿刺手段を備えるとともに、生体表面（皮膚）から採取された体液中の所定成分を光学的に測定（検出）することができる成分測定装置（血液成分測定装置）３００（例えば、特開２００２−３４９５６号公報、特開２００４−９７６０１号公報参照）に装填（装着）して使用されるものである。
【００２９】
生体表面（表皮）の体液の採取に関与する部位（体液採取部位）は、好ましくは指であるが、この他、例えば、手（手の平、手の甲、手の側部）、腕、大腿、耳たぶ等であってもよい。
【００３０】
以下では、体液として血液を、所定成分としてブドウ糖を、体液採取部位（穿刺部位）として指先（指）を、それぞれ代表に説明する。
【００３１】
図１に示すように、チップ１は、ハウジング３と、穿刺針５と、検出ユニット７と、当て部８とを有している。以下、各構成要素について、順次説明する。
【００３２】
図２に示すように、穿刺針５は、針体５１と、この針体５１の基端部に固着（固定）されたハブ５２とで構成されている。
【００３３】
針体５１は、その先端部に鋭利な針先（刃先）５１１を有している。この針先５１１により、生体表面である指先１００の表面（皮膚）を穿刺して、穿刺部位から血液（体液）２００を出させる（採取する）。
【００３４】
また、針体５１は、中空針であってもよいが、中実針であるのがより好ましい。これにより、より細径の針体５１とすることができる。その結果、皮膚の穿刺に際して、患者の苦痛をより低減することができる。
【００３５】
針体５１には、針先５１１が突出するようにしてハブ５２が設けられている。換言すれば、ハブ５２は、針体５１の針先５１１より基端側の外周を被覆するようにして設けられている。
【００３６】
ハブ５２は、その形状がブロック状をなしている。チップ１を成分測定装置（測定装置）３００に装填した状態では、このハブ５２の基端部が成分測定装置３００が備える穿刺手段に連結される。
【００３７】
このような穿刺針５は、ハウジング３が有する内腔部３３内に移動可能に設けられ（収納され）ている（図２参照）。ハウジング３は、ほぼ直方体形状の部材で構成され、その先端および基端には、それぞれ内腔部３３が開放する先端開口（開口）３１および基端開口３２が形成されている。穿刺針５が備える針体５１（少なくとも針先５１１）は、先端開口３１を通過して、ハウジング３（チップ１）の先端から突出する。
【００３８】
内腔部３３は、その形状がほぼ長尺状（柱状）をなし、その横断面積がハブ５２の横断面積とほぼ等しいか、または、若干大きくなるよう設定されている。そして、穿刺針５がハウジング３に対して移動する際に、ハブ５２の外周面５２１が内腔部３３の内周面３３１に沿って移動する。
【００３９】
このように穿刺針５が、ハウジング３に対して移動する際に、ハブ５２が内腔部３３の内周面３３１に支持されるため、ハウジング３に対して円滑に移動することができるとともに、ハウジング３に対するブレが防止され、高い直進性をもって先端方向に移動する。これにより、針体５１の針先５１１のブレに伴う患者の苦痛の増大を好適に防止することができる。
【００４０】
図１および図２に示すように、ハウジング３の上面の先端側には、検出ユニット７が設置されている。この検出ユニット７は、穿刺針５（針先５１１）の穿刺により指先１００から出た血液（体液）２００を吸収・保持し、当該吸収・保持された血液２００中のブドウ糖（所定成分）を検出するものである。この検出ユニット７は、試験紙（検出部）７３と、試験紙７３を保持するベース（保持部）７２とを有している。
【００４１】
ベース（本体）７２は、その形状がほぼ長尺状をなしている。図１に示すように、ベース７２の上面には、試験紙７３が設置（保持）される試験紙設置部７２１が形成されている。試験紙設置部７２１は、平面視での形状がほぼ円形（試験紙７３に対応した平面形状）をなす凹部で構成され、その底面の中央部には、血液流出口７４２が開口し、さらに、貫通孔７２２に連通している。
【００４２】
また、図２に示すように、ベース７２には、血液（体液）２００を移送する血液移送路（体液移送路）７４が設けられて（形成されて）いる。この血液移送路７４は、検出ユニット７の先端に開放する血液流入口７４１を有している。また、血液移送路７４は、貫通孔７２２に連通している。
【００４３】
血液流入口７４１付近には、先端側に突出する導血部（導液部）７５が形成されている（図４参照）。導血部７５に接触にした血液２００は、血液移送路７４の血液流入口（接触部）７４１に導かれ、そこから、毛細管現象により血液移送路７４内を移送される。そして、貫通孔７２２を介して試験紙設置部７２１に設置された試験紙７３の中央部に供給される。その後、血液２００が試験紙７３（試薬）と反応して、この血液２００中のブドウ糖が検出される。
【００４４】
試験紙７３は、血液２００中のブドウ糖を検出（反応）し得るものであり、例えば、血液２００を吸収可能な担体（吸収体）に、試薬（発色試薬）を担持（含浸）してなるものである。これにより、簡単な構成で試験紙７３を作製することができ、また、検出ユニット７に試験紙７３を容易に設置することができる。
【００４５】
また、この担体は、好ましくは多孔性膜で構成されている。この場合、多孔性膜は、血液２００中の赤血球を濾過できる程度の孔径を有するものが好ましい。
【００４６】
試験紙７３の担体としては、多孔性膜の他に、例えば、不織布、織布、延伸処理したシート等のシート状多孔質基材が挙げられる。
【００４７】
多孔性膜等の担体の構成材料としては、ポリエステル類、ポリアミド類、ポリオレフィン類、ポリスルホン類またはセルロース類等が挙げられるが、試薬を溶解した水溶液を含浸させたり、血液２００の採取時には血球を濾過するため、親水性を有する材料または、親水化処理されたものが好ましい。
【００４８】
また、試験紙７３の担体は、単層のシートで構成してもよく、複数枚のシートを積層した多層構成であってもよい。
【００４９】
担体（多孔性膜）に含浸する試薬としては、血糖値測定用の場合、グルコースオキシダーゼ（ＧＯＤ）と、ペルオキシダーゼ（ＰＯＤ）と、例えば４−アミノアンチピリン、Ｎ−エチルＮ−（２−ヒドロキシ−３−スルホプロピル）−ｍ−トルイジンのような発色剤（発色試薬）とが挙げられる。その他、測定成分に応じて、ＧＯＤの代わり、またはＧＯＤとＰＯＤとの代わりに、例えばアスコルビン酸オキシダーゼ、アルコールオキシダーゼ、アルコールデヒドロゲナーゼ、ガラクトースオキシダーゼ、フルクトースデヒドロゲナーゼ、コレステロールオキシダーゼ、コレステロールデヒドロゲナーゼ、乳酸オキシダーゼ、乳酸デヒドロゲナーゼ、ビリルビンオキシダーゼ、キサンチンオキシダーゼ等の酵素を選択することができ、適宜選択された発色剤（発色試薬）とを組み合わせて使用される。また、さらにリン酸緩衝液のような緩衝剤が含まれていてもよい。なお、試薬の種類、成分については、これらに限定されないことは言うまでもない。
【００５０】
図２に示すように、当て部８は、形状がリング状の本体８５と、本体８５と同心的に設けられたパッド８４とを有している。
【００５１】
図１に示すように、当て部８（本体８５）は、その中心とハウジング３の先端開口３１の中心（針体５１の中心軸）とがほぼ一致するように、先端開口３１の縁部に設けられている。この当て部８は、チップ１が指先１００から血液２００を採取するときに、この指先１００に当接しつつ、針体５１の中心軸回りに回転（変位）する部位である。
【００５２】
このように、当て部８がリング状をなしていることにより、当て部８（チップ１）が指先１００に対して円滑に（スムーズに）回転することができる。
【００５３】
また、図２に示すように、本体８５（当て部８）の内周面８１には、その周方向に沿って凹部８２が形成されている。本凹部８２には、ハウジング３の先端部に等間隔に形成された複数の爪部３４が係合する。これにより、当て部８がハウジング３に対して固定される。
【００５４】
本体８５の先端面には、形状がリング状のパッド８４が固着（設置）されている。このパッド８４の表面、すなわち、指先１００に当接する当接面８３は、その内周部（内側）よりも外周部（外側）が先端方向に突出するように傾斜している。換言すれば、当て部８の当接面８３は、すり鉢状をなしている。これにより、当接面８３（当て部８）と指先１００との接触面積を大きくし、当接面８３と指先１００との摩擦力が増大することによって、滑り止め効果が大きくなる。すなわち、当接面８３と指先１００とが確実に当接することができ、よって、当て部８（当接面８３）が回転した際、穿刺針５の穿刺による傷口（穿刺部位）を確実に変形させて、その傷口を確実に開くことができる。従って、前記傷口から血液２００が確実に出ることとなり、その血液２００をより確実に採取することができる。
【００５５】
なお、針体５１の中心軸に対する当接面８３の傾斜角度（図２中のθで示す角度）は、特に限定されないが、例えば、３０〜９０度であるのが好ましく、６０〜８０度であるのがより好ましい。これにより、当接面８３と指先１００とがより確実に当接することができる。
【００５６】
パッド８４（当接面８３）は、指先１００に対して柔軟性を有する材料で構成されているのが好ましい。これにより、当て部８を指先１００に宛がった際、当接面８３が指先１００の表面の形状にならうこととなり、当て部８と指先１００との接触面積を大きくすることができる。従って、当接面８３の指先１００に対する滑り止め機能が増大する。
【００５７】
なお、この柔軟性を有する（パッド８４を構成する）材料としては、特に限定されないが、例えば、天然ゴム、イソプレンゴム、ブタジエンゴム、スチレン−ブタジエンゴム、ニトリルゴム、クロロプレンゴム、ブチルゴム、アクリルゴム、エチレン−プロピレンゴム、ヒドリンゴム、ウレタンゴム、シリコーンゴム、フッ素ゴムのような各種ゴム材料（特に加硫処理したもの）や、スチレン系、ポリオレフィン系、ポリ塩化ビニル系、ポリウレタン系、ポリエステル系、ポリアミド系、ポリブタジエン系、トランスポリイソプレン系、フッ素ゴム系、塩素化ポリエチレン系等の各種熱可塑性エラストマーが挙げられ、これらのうちの１種または２種以上を混合して用いることができる。
【００５８】
また、図３に示すように、当接面８３には、微小な凹凸、すなわち、複数の溝８３１が形成されている。これらの溝８３１は、それぞれ波形をなしており、互いにほぼ等間隔に設けられている。当接面８３が指先１００に対して滑り難い（滑り止め機能を発揮する）形状をなしているため、当て部８が回転した際、当接面８３と指先１００とが密着した状態で穿刺部位を確実に変形させることができ、よって、穿刺部位からより確実に血液２００を出す（採取する）ことができる。
【００５９】
なお、当接面８３が指先１００に対して滑り止め機能を発揮する方法（手段）としては、当接面８３が指先１００に対して滑り難い形状をなすように形成されているのに限定されず、例えば、当接面８３が指先１００に対して滑り難い材料で構成されていてもよい。このような材料としては、特に限定されないが、例えば、パッド８４で挙げたような材料を用いることができる。
【００６０】
また、本体８５の構成材料としては、特に限定されないが、例えば、パッド８４で挙げたような材料、各種金属材料、各種プラスチック（例えば、アクリル系樹脂、ポリカーボネート、アクリロニトリル−ブタジエン−スチレン共重合体（ＡＢＳ樹脂）、ポリエチレン、ポリプロピレン等）、各種ガラス材料等を単独または組み合わせて用いることができる。
【００６１】
また、当て部８（本体８５）とハウジング３との固定方法は、係合によるのに限定されず、例えば、嵌合等であってもよい。
【００６２】
次に、チップ１を用いて、指先１００から血液２００を採取する方法（血液採取方法（体液採取方法））について、図５を参照して説明する。
【００６３】
まず、当て部８を指先１００に宛がう、すなわち、パッド８４（当接面８３）を指先１００に当接させる。
【００６４】
次に、この状態で、穿刺針５の針先５１１を先端方向に突出させて、指先１００を穿刺する。この針先５１１の穿刺により、指先１００には傷が生じる。
【００６５】
次に、当て部８を指先１００に当接しつつ、針体５１の中心軸回りに回転させる。なお、この回転は、時計回りの回転、反時計回りの回転、時計回りと反時計回りとを交互に行う回転のいずれの回転であってもよい。
【００６６】
当て部８の回転により、傷口付近がねじられる（変形する）こととなり、当該傷口が開いて、血液２００が絞り出される（採取される）。
【００６７】
次に、血液２００は、血液移送路７４を通過して、試験紙７３に到達する。その後、この血液２００中のブドウ糖が試験紙７３で検出される。
【００６８】
このように、チップ１では、当て部８を回転させて穿刺部位付近を変形させることによって、指先１００の穿刺部位から血液２００を確実に採取することができる。従って、穿刺の失敗による再穿刺を行う操作が軽減される。また、血液２００中のブドウ糖を測定するときの血液量不足に基因する測定ミスを減らすことができる。
【００６９】
この方法だと、指をチップ１に宛がうだけで血液を確実に採取することができ、指以外の皮膚でも同様である。従って、吸引機構を用いた場合のように強く皮膚に装置を押し付ける必要がないので、皮膚に瘢痕が鮮明に残ることはない。
【００７０】
また、穿刺から採血までの間、指をチップ１から離さずに作業することができるので、取扱いが簡便になり、測定作業に要する時間を短縮することができる。
【００７１】
以上、本発明の体液採取具および体液採取方法を図示の実施形態に基づいて説明したが、本発明は、これらに限定されるものではない。また、体液採取具の各部の構成は、同様の機能を発揮し得る任意の構成のものに置換することができる。
【００７２】
また、血液（体液）中のブドウ糖（所定成分）の測定は、光学的な測定であるのに限定されず、例えば、電極式な測定であってもよい。
【００７３】
チップは、そのチップの使用前および使用後、すなわち、穿刺針の穿刺前および穿刺後において、穿刺針がハウジングに対して固定されるよう構成されているのが好ましい。これにより、穿刺針がハウジングから離脱（脱落）するのが防止される。
【００７４】
また、当て部の回転（変位）動作は、手動で行われるが、例えば、電動、バネ、超音波、油圧、水圧などの駆動で行われてもよい。
【００７５】
また、チップは、当て部が回転するよう構成されているのに限定されず、例えば、当て部が穿刺部位付近を往復するよう構成されていてもよし、当て部が超音波で穿刺部位付近を振動させるよう構成されていてもよい。
【００７６】
また、当て部は、ハウジングに対して固定されているのに限定されず、例えば、ハウジングに対して変位（回転）可能に設けられていてもよい。
【００７７】
また、当て部の当接面は、傾斜するように形成されているのに限定されず、例えば、湾曲するように形成されていてもよいし、穿刺方向（針体の中心軸）に対してほぼ垂直に形成されていてもよい。
【００７８】
また、パッドは、当て部の本体に固定（固着）されているのに限定されず、本体に対して着脱自在に設置されていてもよい。
【００７９】
また、パッドに形成された溝の形状は、波形であるのに限定されず、例えば、長尺状、放射状、同心円状、ドット状であってもよい。
【００８０】
また、採取する体液は、血液を代表として説明したが、本発明では、採取する体液は、これに限らず、例えば、汗、リンパ液、間質液等であってもよい。
【００８１】
また、測定目的とする成分（所定成分）は、ブドウ糖を代表として説明したが、測定目的の成分は、これに限らず、例えば、タンパク、コレステロール、尿酸、クレアチニン、糖化ヘモグロビン、ケトン体、ビリルビン、ホルモン、アルコール等の有機化合物、アンモニア、ナトリウム、カリウム、カルシウム、塩素、リン酸、炭酸、ｐＨ等の無機イオン等であってもよい。
【００８２】
また、チップを用いて体液を採取するときに、チップの内腔部を減圧させて、穿刺部位からの体液を吸引してもよい。これにより、より確実に体液を採取することができる。
【図面の簡単な説明】
【００８３】
【図１】本発明の体液採取具を示す概略斜視図である。
【図２】図１中のＡ−Ａ線断面図である。
【図３】図１に示す体液採取具の当て部に設けられたパッドの正面図である。
【図４】図１に示す体液採取具の正面図である。
【図５】図１に示す体液採取具を用いた体液採取方法を説明するための図である。
【符号の説明】
【００８４】
１            チップ
３            ハウジング
３１          先端開口
３２          基端開口
３３          内腔部
３３１        内周面
３４          爪部
５            穿刺針
５１          針体
５１１        針先
５２          ハブ
５２１        外周面
７            検出ユニット
７２          ベース
７２１        試験紙設置部
７２２        貫通孔
７３          試験紙
７４          血液移送路
７４１        血液流入口
７４２        血液流出口
７５          導血部
８            当て部
８１          内周面
８２          凹部
８３          当接面
８３１        溝
８４          パッド
８５          本体
１００        指先
２００        血液
３００        成分測定装置
【図１】
2006014789.tif 000003
【図２】
2006014789.tif 000004
【図３】
2006014789.tif 000005
【図４】
2006014789.tif 000006
【図５】
2006014789.tif 000007